(57)【要約】【課題】血液検査結果に基づいてその患者の将来の血液指標値をより精度よく推測することができ、より適正な薬剤の目標投与量を求めることができる患者データ管理装置を提供する。【解決手段】血液検査により得られた血液指標値と患者に投与された薬剤の投与量とに基づいて、その患者の将来の血液指標値を予測し得る患者データ管理装置であって、特定患者の過去の血液検査によって得られた血液指標値を経時的に入力可能とされた血液指標値入力手段１と、当該特定患者に投与された過去の薬剤の投与量を経時的に入力可能とされた薬剤投与量入力手段２と、血液指標値入力手段１で入力された血液指標値と、薬剤投与量入力手段２で入力された薬剤の投与量との相関関係から当該特定患者の将来の血液指標値を予測し得る血液指標値予測手段３とを備えたものである。【選択図】図１
2010279399.tif 000002
【特許請求の範囲】
【請求項１】
血液検査により得られた血液指標値と患者に投与された薬剤の投与量とに基づいて、その患者の将来の血液指標値を予測し得る患者データ管理装置であって、
特定患者の過去の血液検査によって得られた血液指標値を経時的に入力可能とされた血液指標値入力手段と、
当該特定患者に投与された過去の薬剤の投与量を経時的に入力可能とされた薬剤投与量入力手段と、
前記血液指標値入力手段で入力された血液指標値と、前記薬剤投与量入力手段で入力された薬剤の投与量との相関関係から当該特定患者の将来の血液指標値を予測し得る血液指標値予測手段と、
を備えたことを特徴とする患者データ管理装置。
【請求項２】
血液検査により得られた血液指標値と患者に投与された薬剤の投与量とに基づいて、その患者に対する薬剤の目標投与量を設定し得る患者データ管理装置であって、
特定患者の過去の血液検査によって得られた血液指標値を経時的に入力可能とされた血液指標値入力手段と、
当該特定患者に投与された過去の薬剤の投与量を経時的に入力可能とされた薬剤投与量入力手段と、
前記血液指標値入力手段で入力された血液指標値と、前記薬剤投与量入力手段で入力された薬剤の投与量との相関関係から当該特定患者に対する薬剤の目標投与量を求め得る目標投与量予測手段と、
を備えたことを特徴とする患者データ管理装置。
【請求項３】
前記血液指標値入力手段及び薬剤投与量入力手段で入力されたそれぞれの経時的データをグラフとして同時に表示し得るとともに、前記血液指標値予測手段で予測された患者の将来の血液指標値又は前記目標投与量予測手段で求められた目標投与量を表示し得る表示手段を具備したことを特徴とする請求項１又は請求項２記載の患者データ管理装置。
【請求項４】
前記血液指標値入力手段で入力された経時的な血液指標値データ又は前記薬剤投与量入力手段で入力された経時的な薬剤の投与量データにおける回帰直線を算出して前記表示手段に表示可能な回帰直線算出手段を具備したことを特徴とする請求項３記載の患者データ管理装置。
【請求項５】
前記血液指標値入力手段で入力される血液指標値は、患者の血液のヘモグロビン濃度であるとともに、その経時的データから算出されるヘモグロビンサイクリングを前記表示手段で表示させ得ることを特徴とする請求項３又は請求項４記載の患者データ管理装置。
【請求項６】
患者に血液を体外循環させつつ浄化する血液浄化装置と接続されてデータの送信が可能とされるとともに、当該血液浄化装置が前記表示手段を具備して成ることを特徴とする請求項３〜５の何れか１つに記載の患者データ管理装置。
【請求項７】
患者に対する薬剤の投与量を管理する薬剤管理装置と接続されてデータの送信が可能とされるとともに、当該薬剤管理装置で管理されるべき薬剤の投与量を前記目標投与量予測手段で求められた薬剤の目標投与量に変更可能とされたことを特徴とする請求項２記載の患者データ管理装置。
【発明の詳細な説明】
【技術分野】
【０００１】
本発明は、血液検査により得られた血液指標値と患者に投与された薬剤の投与量とに基づいて、その患者の将来の血液指標値を予測し、或いはその患者に対する薬剤の目標投与量を設定し得る患者データ管理装置に関するものである。
【背景技術】
【０００２】
透析治療などの長期間に亘る治療が行われる患者においては、定期的に血液検査及び薬剤（例えば造血剤等）の投与が行われ、血液検査結果に基づいて医師等が投薬量を決定している。即ち、検査結果により得られた患者の血液指標値（例えばヘモグロビン濃度等）は、薬剤投与に伴って随時変動するので、当該変動を勘案しつつその患者の将来の血液指標値を推測し、理想の薬剤投与量（薬剤の目標投与量）を設定しているのである。尚、かかる先行技術は、文献公知発明に係るものでないため、記載すべき先行技術文献情報はない。
【発明の概要】
【発明が解決しようとする課題】
【０００３】
しかしながら、血液検査により得られた血液指標値は、薬剤を投与してから所定期間のタイムラグを経て変動することが多く、その患者の将来の血液指標値を推測し、その患者における薬剤の目標投与量を設定するには極めて熟練を要するという問題があった。然るに、将来の血液指標値の推測を誤ってしまい、薬剤の目標投与量が理想値よりも少ない場合は、投薬効果に乏しくなってしまう一方、薬剤の目標投与量が理想値よりも多い場合は、投薬が無駄になってしまう虞があった。
【０００４】
本発明は、このような事情に鑑みてなされたもので、血液検査結果に基づいてその患者の将来の血液指標値をより精度よく推測することができ、より適正な薬剤の目標投与量を求めることができる患者データ管理装置を提供することにある。
【課題を解決するための手段】
【０００５】
請求項１記載の発明は、血液検査により得られた血液指標値と患者に投与された薬剤の投与量とに基づいて、その患者の将来の血液指標値を予測し得る患者データ管理装置であって、特定患者の過去の血液検査によって得られた血液指標値を経時的に入力可能とされた血液指標値入力手段と、当該特定患者に投与された過去の薬剤の投与量を経時的に入力可能とされた薬剤投与量入力手段と、前記血液指標値入力手段で入力された血液指標値と、前記薬剤投与量入力手段で入力された薬剤の投与量との相関関係から当該特定患者の将来の血液指標値を予測し得る血液指標値予測手段とを備えたことを特徴とする。
【０００６】
請求項２記載の発明は、血液検査により得られた血液指標値と患者に投与された薬剤の投与量とに基づいて、その患者に対する薬剤の目標投与量を設定し得る患者データ管理装置であって、特定患者の過去の血液検査によって得られた血液指標値を経時的に入力可能とされた血液指標値入力手段と、当該特定患者に投与された過去の薬剤の投与量を経時的に入力可能とされた薬剤投与量入力手段と、前記血液指標値入力手段で入力された血液指標値と、前記薬剤投与量入力手段で入力された薬剤の投与量との相関関係から当該特定患者に対する薬剤の目標投与量を求め得る目標投与量予測手段とを備えたことを特徴とする。
【０００７】
請求項３記載の発明は、請求項１又は請求項２記載の患者データ管理装置において、前記血液指標値入力手段及び薬剤投与量入力手段で入力されたそれぞれの経時的データをグラフとして同時に表示し得るとともに、前記血液指標値予測手段で予測された患者の将来の血液指標値又は前記目標投与量予測手段で求められた目標投与量を表示し得る表示手段を具備したことを特徴とする。
【０００８】
請求項４記載の発明は、請求項３記載の患者データ管理装置において、前記血液指標値入力手段で入力された経時的な血液指標値データ又は前記薬剤投与量入力手段で入力された経時的な薬剤の投与量データにおける回帰直線を算出して前記表示手段に表示可能な回帰直線算出手段を具備したことを特徴とする。
【０００９】
請求項５記載の発明は、請求項３又は請求項４記載の患者データ管理装置において、前記血液指標値入力手段で入力される血液指標値は、患者の血液のヘモグロビン濃度であるとともに、その経時的データであるヘモグロビンサイクリングを前記表示手段で表示させ得ることを特徴とする。
【００１０】
請求項６記載の発明は、請求項３〜５の何れか１つに記載の患者データ管理装置において、患者に血液を体外循環させつつ浄化する血液浄化装置と接続されてデータの送信が可能とされるとともに、当該血液浄化装置が前記表示手段を具備して成ることを特徴とする。
【００１１】
請求項７記載の発明は、請求項２記載の患者データ管理装置において、患者に対する薬剤の投与量を管理する薬剤管理装置と接続されてデータの送信が可能とされるとともに、当該薬剤管理装置で管理されるべき薬剤の投与量を前記目標投与量予測手段で求められた薬剤の目標投与量に変更可能とされたことを特徴とする。
【発明の効果】
【００１２】
請求項１の発明によれば、血液指標値入力手段で入力された血液指標値と、薬剤投与量入力手段で入力された薬剤の投与量との相関関係から当該特定患者の将来の血液指標値を予測し得るので、血液検査結果に基づいてその患者の将来の血液指標値をより精度よく推測することができ、より適正な薬剤の目標投与量を求めることができる。
【００１３】
請求項２の発明によれば、血液指標値入力手段で入力された血液指標値と、薬剤投与量入力手段で入力された薬剤の投与量との相関関係から当該特定患者に対する薬剤の目標投与量を求め得るので、より適正な薬剤の目標投与量を求めることができる。
【００１４】
請求項３の発明によれば、血液指標値入力手段及び薬剤投与量入力手段で入力されたそれぞれの経時的データをグラフとして同時に表示し得るとともに、血液指標値予測手段で予測された患者の将来の血液指標値又は前記目標投与量予測手段で求められた目標投与量を表示し得るので、医師等が患者のデータを視覚的に把握することができる。
【００１５】
請求項４の発明によれば、血液指標値入力手段で入力された経時的な血液指標値データ又は薬剤投与量入力手段で入力された経時的な薬剤の投与量データにおける回帰直線を算出して表示手段に表示可能な回帰直線算出手段を具備したので、当該血液指標値データ又は薬剤の投与量データの経時的変化傾向を医師等が把握するのをより容易とすることができる。
【００１６】
請求項５の発明によれば、血液指標値入力手段で入力される血液指標値は、患者の血液のヘモグロビン濃度であるとともに、その経時的データから算出されるヘモグロビンサイクリングを表示手段で表示させ得るので、より複合的な患者データを表示させることができる。
【００１７】
請求項６の発明によれば、患者に血液を体外循環させつつ浄化する血液浄化装置と接続されてデータの送信が可能とされるとともに、当該血液浄化装置が表示手段を具備して成るので、血液浄化治療に関わる医師等医療従事者が血液浄化装置近傍に居ながら当該表示手段で表示される内容を把握することができる。
【００１８】
請求項７の発明によれば、患者に対する薬剤の投与量を管理する薬剤管理装置と接続されてデータの送信が可能とされるとともに、当該薬剤管理装置で管理されるべき薬剤の投与量を前記目標投与量予測手段で求められた薬剤の目標投与量に変更可能とされたので、薬剤の目標投与量の変更をより容易且つスムーズに行わせることができる。
【図面の簡単な説明】
【００１９】
【図１】本発明の実施形態に係る患者データ管理装置の全体概要を示すブロック図
【図２】同患者データ管理装置における表示手段の表示内容（画面全体）を示す模式図
【図３】同患者データ管理装置における表示手段の表示内容（グラフ表示）を示す模式図
【図４】同患者データ管理装置における表示手段の表示内容（投与支援内容）を示す模式図
【図５】同患者データ管理装置における表示手段の表示内容（検査結果内容）を示す模式図
【図６】同患者データ管理装置における表示手段の表示内容（薬剤投与量）を示す模式図
【発明を実施するための形態】
【００２０】
以下、本発明の実施形態について図面を参照しながら具体的に説明する。
本実施形態に係る患者データ管理装置は、血液検査により得られた血液指標値と患者に投与された薬剤の投与量とに基づいて、その患者の将来の血液指標値を予測し、更にはその患者に対する薬剤の目標投与量を設定し得るものであり、図１に示すように、血液指標値入力手段１と、薬剤投与量入力手段２と、血液指標値予測手段３と、目標投与量予測手段４と、回帰直線算出手段５と、ヘモグロビンサイクリング算出手段６と、目標投与量変更手段７と、表示手段８とから主に構成されている。尚、図中符号ＤＢは、透析室内に設置されたデータベースを示しており、当該データベースＤＢに特定患者の種々データ（過去の血液検査結果及び薬剤の投与量等）が記憶されている。
【００２１】
血液指標値入力手段１は、データベースＤＢと接続され、特定患者の過去の血液検査によって得られた血液指標値を経時的に入力可能とされたものである。かかる血液指標値は、定期的な血液検査の結果得られた指標値であって、例えばヘモグロビン濃度（Ｈｂ）、ヘマトクリット（Ｈｔ）、鉄分濃度（Ｆｅ）、フェリチン、Ｔ−Ｓａｔの値（最新値、平均値等）が挙げられる。尚、本実施形態においては、主にヘモグロビン濃度（Ｈｂ）（血中のヘモグロビン量（ｇ／ｄＬ））、ヘマトクリット値及びフェリチン等を血液指標値としている。
【００２２】
薬剤投与量入力手段２は、データベースＤＢと接続され、特定患者に投与された過去の薬剤の投与量を経時的に入力可能とされたものである。かかる薬剤は、投与によって血液指標値に変化をもたらすものであって、主に造血剤や鉄剤が挙げられる。尚、造血剤には、種々メーカによって複数の種類のものが提供されるに至っており、その種類毎の入力が可能とされている。
【００２３】
血液指標値予測手段３は、血液指標値入力手段１で入力された血液指標値と、薬剤投与量入力手段２で入力された薬剤（特定の種類の薬剤）の投与量との相関関係から当該特定患者の将来（例えば１ヶ月後や次の投薬時等）の血液指標値を予測し得るものである。相関関係から血液指標値を予測するには、これらの相関を予め把握しておき、テーブル又は演算式等にて求め得るよう構成するのが好ましい。
【００２４】
目標投与量予測手段４は、血液指標値入力手段１で入力された血液指標値と、薬剤投与量入力手段２で入力された薬剤（特定の種類の薬剤）の投与量との相関関係から当該特定患者に対する薬剤の目標投与量（適正な投与量）を求め得るものである。相関関係から血液指標値を予測するには、血液指標予測手段３と同様、これらの相関を予め把握しておき、テーブル又は演算式等にて求め得るよう構成するのが好ましい。
【００２５】
かかる目標投与量予測手段４による薬剤の目標投与量を求める演算方法として、以下のような例が挙げられる。まず、過去１年間の血液指標値（検査データ）を全て加算し、その加算値を検査回数で割り算することにより１年間の平均値（平均検査値）を求める。同様に、過去１年間の薬剤の投与量を全て加算し、その加算値を１年間の週（５２週）で割り算することにより１週間の平均投与量を求める。
【００２６】
然るに、これらの値から血液指標値（検査データ）「１」に対する１週間の平均投与量を求めるとともに、当該血液指標値（検査データ）を目標の血液指標値（理想値）とするために必要とされる１週間の薬剤の投与量（目標投与量）を求める（例えば、検査データ「１」に対する１週間の薬剤の平均投与量をαとし、目標の血液指標値（理想値）をβとした場合、薬剤の目標投与量はα×βとなる。）尚、血液指標値予測手段３による将来の血液指標値の演算方法についても、同様な手法を採用することができる。
【００２７】
表示手段８は、液晶画面等のモニタやタッチパネルから成るもので、血液指標値入力手段１及び薬剤投与量入力手段２で入力されたそれぞれの経時的データ（時間軸を有したデータ）をグラフ（棒グラフ、折れ線グラフ等）として同時に（複合的に）表示し得るとともに、血液指標値予測手段３で予測された患者の将来の血液指標値及び（又は）目標投与量予測手段４で求められた目標投与量を表示し得るものである。
【００２８】
具体的には、表示手段８の画面には、図２で示すように、ツールメニュー表示部Ａ、患者情報表示部Ｂ、複合グラフ操作部Ｃ、複合グラフ表示部Ｄ、数値データ表示部Ｅがそれぞれ表示されるよう構成されており、カーソルやテンキー等による操作・選択によって各表示部や操作部に対する入力操作が可能とされている。このうち、複合グラフ表示部Ｄには、図３の如き所望のグラフが複数同時に（複合的に）表示される。
【００２９】
複合グラフは、図３に示すように、過去２４ヶ月の血液指標値と薬剤投与量との経時的関係（横軸を時間軸としたグラフ）を示すもので、本実施形態においては、複合グラフＤａ、複合グラフＤｂ、複合グラフＤｃがそれぞれ表示されている。例えば複合グラフＤｂには、ヘモグロビン濃度の経時的変化を折れ線グラフで、造血剤の投与量の経時的変化を棒グラフで表しており、ヘモグロビン濃度の経時的変化は、６分割した期間毎に回帰直線が描かれている。
【００３０】
かかる回帰直線は、回帰直線算出手段５にて求められたものであり、ヘモグロビン濃度等の変化傾向を示すべく所定演算式にて求められるものである。即ち、回帰直線算出手段５は、血液指標値入力手段１で入力された経時的な血液指標値データ（又は薬剤投与量入力手段２で入力された経時的な薬剤の投与量データであってもよい）における回帰直線を算出して表示手段８に表示可能なものである。これにより、血液指標値データ又は薬剤の投与量データの経時的変化傾向を医師等が把握するのをより容易とすることができる。
【００３１】
尚、複合グラフ表示部Ｄで表示される複合グラフは、複合グラフ操作部Ｃに対する操作によって操作者が任意に表示させることができる。例えば、グラフを２４ヶ月に亘るものの他、３ヶ月〜２３ヶ月に亘るものや週単位のもの等種々期間とすることができるとともに、血液指標値予測手段３によって予測された特定患者の将来の血液指標値のグラフへの表示の有無、目標投与量予測手段４によって求められた特定患者に対する薬剤の目標投与量のグラフへの表示の有無等を任意選択し得るようになっている。
【００３２】
ここで、本実施形態においては、複合グラフ表示部Ｄの表示を切り替え操作することができ、例えば複合グラフの表示に代えて、薬剤の目標投与量を変更する変更操作部に切り換えることができるよう構成されている。具体的には、本患者データ管理装置は、目標投与量変更手段７を具備しており、当該目標投与量変更手段７と患者に対する薬剤の投与量を管理する薬剤管理装置１１（図１参照）とが接続されてデータの送信が可能とされるとともに、当該薬剤管理装置１１で管理されるべき薬剤の投与量を目標投与量予測手段４で求められた薬剤の目標投与量に変更可能とされている。
【００３３】
尚、薬剤管理装置１１は、例えば同一病院内の他の診療科（合併症に関わる内科等、透析室とは異なる部屋）の治療情報（電子カルテ）や投薬情報を格納した他システムのサーバから成るものであり、表示手段１２の他、薬剤の投与に関する管理を行うための管理手段１３を具備している。而して、ルータ等を介して他システムとしての薬剤管理装置１１と本患者データ管理装置に係るデータベースＤＢ及び目標投与量変更手段７とが接続され、当該薬剤管理装置１１の管理手段１３で管理される薬剤の投与量を、本患者データ管理装置による操作にて目標投与量に変更し得るよう構成されている。
【００３４】
これにより、患者に対する薬剤の投与量を管理する薬剤管理装置１１と接続されてデータの送信が可能とされるとともに、当該薬剤管理装置１１で管理されるべき薬剤の投与量を目標投与量予測手段４で求められた薬剤の目標投与量に変更可能とされたので、薬剤の目標投与量の変更をより容易且つスムーズに行わせることができる。尚、薬剤管理装置１１とは異なる他のシステム（例えば、患者の看護を目的とした看護支援システム、或いは予約又は会計システム等）と接続し、ルータ等を介して情報を送信し得るようにしてもよい。
【００３５】
一方、数値データ表示部Ｅは、数値データを表示するための部位であり、その上部に表示されたタグの選択により、薬剤投与支援表示Ｅａ（図４参照）、検査結果表示Ｅｂ（図５参照）、薬剤投与量表示Ｅｃ（図６参照）を任意表示し得るようになっている。薬剤投与支援表示Ｅａには、図４に示すように、ヘモグロビンサイクリング表示Ｅａａ、検査平均値表示Ｅａｂ、薬剤平均投与量表示Ｅａｃ、薬剤（造血剤）投与支援表示Ｅａｄが表示される。
【００３６】
ヘモグロビンサイクリング表示Ｅａａは、ヘモグロビンサイクリングに関する数値データが表示される部位である。このヘモグロビンサイクリングは、血液指標値入力手段１で入力される血液指標値としての患者の血液のヘモグロビン濃度における経時的データから算出されるものであり、ヘモグロビンサイクリング算出手段６で算出されて表示手段８にて表示される。尚、ヘモグロビンサイクリングとは、所定期間に亘って繰り返されるヘモグロビン濃度の増減を指すものである。このように、ヘモグロビンサイクリングを表示手段８で表示させ得るので、より複合的な患者データを表示させることができる。
【００３７】
薬剤（造血剤）投与支援表示Ｅａｄは、血液指標値予測手段３で予測された血液指標値（例えばヘモグロビン濃度の予測値）、現在の薬剤（造血剤）の投与量（週単位）、目標投与量（週単位）等が表示される部位である。尚、「予測値保存」なる表示部を操作すると、血液指標値予測手段３で予測された血液指標値（例えばヘモグロビン濃度の予測値）を保存し得るようになっている。
【００３８】
検査結果表示Ｅｂは、図５に示すように、指定した検査項目に関する検査結果を表示する部位であり、例えば表示基準日から過去２４ヶ月における透析目標値、最新値、最新検査日等を数値として表示させる。薬剤投与量表示Ｅｃは、図６に示すように、指定した薬剤について、投与変更日から過去２４ヶ月及び将来１２ヶ月の薬剤毎の投与週数や、薬剤予定投与量を表示し得る部位である。
【００３９】
更に、本実施形態においては、図１に示すように、患者に血液を体外循環させつつ浄化する血液浄化装置９と接続されてデータの送信が可能とされるとともに、当該血液浄化装置９が表示手段１０を具備して成るものとされている。即ち、血液浄化装置９に配設された表示手段１０は、表示手段８と同様の表示及び入力操作等を行わせ得るようになっており、血液浄化治療に関わる医師等医療従事者が血液浄化装置９近傍に居ながら当該表示手段１０で表示される内容を把握することができるよう構成されている。
【００４０】
本実施形態によれば、血液指標値入力手段１で入力された血液指標値と、薬剤投与量入力手段２で入力された薬剤の投与量との相関関係から特定患者の将来の血液指標値を予測し得るので、血液検査結果に基づいてその患者の将来の血液指標値をより精度よく推測することができ、より適正な薬剤の目標投与量を求めることができる。また、血液指標値入力手段１で入力された血液指標値と、薬剤投与量入力手段２で入力された薬剤の投与量との相関関係から当該特定患者に対する薬剤の目標投与量を求め得るので、より適正な薬剤の目標投与量を求めることができる。
【００４１】
更に、血液指標値入力手段１及び薬剤投与量入力手段２で入力されたそれぞれの経時的データをグラフとして同時に表示し得るとともに、血液指標値予測手段３で予測された患者の将来の血液指標値及び（又は）目標投与量予測手段４で求められた目標投与量を表示し得るので、医師等が患者のデータを視覚的に把握することができる。尚、グラフの形態（折れ線グラフ等の形態）や表の形態等は、任意設定し得るものとされている。
【００４２】
以上、本実施形態について説明したが、本発明はこれに限定されるものではなく、例えば目標投与量予測手段４を具備せず、血液指標値予測手段３のみを具備するものとし、専ら特定患者の将来の血液指標値を予測し得るものとしてもよく、或いは血液指標値予測手段３を具備せず、目標投与量予測手段４のみを具備するものとし、専ら特定患者に対する薬剤の目標投与量を求め得るものとしてもよい。
【００４３】
また、本患者データ管理装置と接続される血液浄化装置９は、血液透析（ＨＤ）における血液透析装置に適用しているが、これに代えて他の血液浄化治療（例えば、血液透析濾過（ＨＤＦ）、血液濾過（ＨＦ）又は持続緩徐式血液濾過（ＣＨＦ）等の治療）を施すことが可能な血液浄化装置に適用してもよい。勿論、血液浄化装置とは異なる他の治療装置と接続して情報の送受信を行わせるようにしてもよい。
【産業上の利用可能性】
【００４４】
血液指標値入力手段で入力された血液指標値と薬剤投与量入力手段で入力された薬剤の投与量との相関関係から特定患者の将来の血液指標値を予測し得る血液指標値予測手段、又は血液指標値入力手段で入力された血液指標値と薬剤投与量入力手段で入力された薬剤の投与量との相関関係から特定患者に対する薬剤の目標投与量を求め得る目標投与量予測手段を備えた患者データ管理装置であれば、外観形状が異なるもの或いは他の機能が付加されたもの等にも適用することができる。
【符号の説明】
【００４５】
１  血液指標値入力手段
２  薬剤投与量入力手段
３  血液指標値予測手段
４  目標投与量予測手段
５  回帰直線算出手段
６  ヘモグロビンサイクリング算出手段
７  目標投与量変更手段
８  表示手段
９  血液浄化装置
１０  表示手段
１１  薬剤管理装置
１２  表示手段
１３  管理手段
【図１】
2010279399.tif 000003
【図２】
2010279399.tif 000004
【図３】
2010279399.tif 000005
【図４】
2010279399.tif 000006
【図５】
2010279399.tif 000007
【図６】
2010279399.tif 000008